(57)【要約】  【課題】  目への刺激を考慮した表示装置を適切な形態で提供する。  【解決手段】  表示装置は、映像を表示する表示部と、当該表示部の映像表示面とは相対する側に配置される被照射体を照射する光源とを備え、前記表示部周辺の照度を検出する照度検出手段と、現在の時間を検出する時刻検出手段とを有し、前記照度検出手段及び時刻検出手段の検出に基づいて、前記光源の点消灯を制御する。【選択図】      図１
2006337617.tif 000002
【特許請求の範囲】
【請求項１】
映像を表示する表示部と、当該表示部の映像表示面とは相対する側に配置される被照射体を照射する光源とを備える表示装置であって、
前記表示部周辺の照度を検出する照度検出手段と、
現在の時間を検出する時刻検出手段とを有し、
前記照度検出手段及び時刻検出手段の検出に基づいて、前記光源の点消灯を制御することを特徴とする表示装置。
【請求項２】
前記照度検出手段の検出結果及び前記時刻検出手段の検出結果が、共に点灯可能な状態である場合に、前記光源を点灯するように制御することを特徴とする請求項１に記載の表示装置。
【請求項３】
前記時間に関して、予め設定された範囲の設定時間を持ち、
前記時刻検出手段により検出された現在の時間が、前記設定時間の範囲内にあるときに、前記光源を点灯可能な状態とすることを特徴とする請求項２に記載の表示装置。
【請求項４】
前記照度に関して、予め設定された設定値を持ち、
前記照度検出手段により検出された照度が前記所定値以下である場合に、前記光源を点灯可能な状態とすることを特徴とする請求項２又は３に記載の表示装置。
【請求項５】
映像を表示する表示部と、当該表示部の映像表示面とは相対する側に配置される被照射体を照射する光源とを備える表示装置であって、
前記表示部周辺の照度を複数段階の照度レベルで検出する照度検出手段を有し、
前記照度検出手段により検出された照度が、前記複数段階のうちどの照度レベルにあるかに応じて前記光源の点灯強度を制御することを特徴とする表示装置。
【請求項６】
現在の時間を検出する時刻検出手段を有し、
前記照度検出手段の検出結果及び前記時刻検出手段の検出結果に基づいて、前記光源の点灯強度を制御することを特徴とする請求項５に記載の表示装置。
【請求項７】
映像を表示する表示部と、当該表示部の映像表示面とは相対する側に配置される被照射体を照射する光源とを備える表示装置であって、
現在の時間を検出する時刻検出手段を有し、
前記時刻検出手段により検出された現在時刻に応じて前記光源の点灯強度を制御することを特徴とする表示装置。
【請求項８】
前記光源の点消灯は、前記照度検出手段及び時刻検出手段の検出結果による制御に関わらず、ユーザの指示により強制的に制御可能なことを特徴とする請求項１乃至７に記載の表示装置。
【請求項９】
映像を表示する表示部と、当該表示部の映像表示面とは相対する側に配置される被照射体を照射する光源とを備える表示装置であって、
前記表示部周辺の照度を検出する照度検出手段及び／又は現在の時間を検出する時刻検出手段の検出結果に基づいて、前記光源の点灯範囲を制御することを特徴とする表示装置。
【請求項１０】
前記照度に関して、複数段階の照度レベルを持ち、
前記照度検出手段により検出された照度が、前記複数段階の照度レベルのうちどのレベルにあるかに応じて前記光源の点灯範囲を制御することを特徴とする請求項９に記載の表示装置。
【請求項１１】
前記照度検出手段により検出された照度が低いほど、前記点灯範囲が広くなるように制御することを特徴とする請求項９又は１０に記載の表示装置。
【請求項１２】
前記時刻検出手段により検出された現在の時間が予め定められた時刻に近いほど前記点灯範囲が広くなるように制御することを特徴とする請求項９乃至１１の何れかに記載の表示装置。
【請求項１３】
前記時刻検出手段により検出された現在の時間が、ユーザにより設定されたに近いほど前記点灯範囲が広くなるように制御することを特徴とする請求項９乃至１１の何れかに記載の表示装置。
【請求項１４】
前記光源の点灯範囲は、前記照度検出手段及び時刻検出手段の検出結果による制御に関わらず、ユーザの指示により強制的に制御可能なことを特徴とする請求項９乃至１３の何れかに記載の表示装置。
【請求項１５】
液晶パネルと、
光源を有し、当該光源からの光を前記液晶パネルに照射するバックライト装置とを有する液晶表示装置であって、
前記バックライト装置は開閉手段を備え、
前記開閉手段を開成制御することで、前記光源の光を、前記バックライト装置の背面側に配置される被照射体にも照射することを特徴とする液晶表示装置。
【請求項１６】
前記バックライト装置は、その一部が、光透過材で形成され、
前記被照射体に照射する光は、前記光透過材を透過して前記被照射体を照射することを特徴とする請求項１５に記載の液晶表示装置。
【請求項１７】
前記光透過材は、乳白色のアクリル材で形成されていることを特徴とする請求項１６に記載の液晶表示装置。
【発明の詳細な説明】
【技術分野】
【０００１】
本発明は、なるべく目への刺激を与えない表示を行う表示装置に関する。
【背景技術】
【０００２】
現代においては、あらゆる職場で表示装置が用いられ、家庭においてもテレビジョンとしての表示装置を視聴するなど、大変長時間での表示装置の利用が行なわれている。
【０００３】
そして表示装置を用いるにあたって目への刺激が強くならないよう配慮が必要であるが、これについて厚生労働省よりガイドラインが作成されている（非特許文献１）。
【０００４】
このガイドラインによれば、表示装置の画面に入射する光の明るさをできるだけ小さくすべきであるとされている。これは、いわゆるグレアを防止すべきということである。グレアとは、視野内で過度に輝度が高い個所が見えることによっておきる不快感や見にくさのことであり、直接グレアと間接グレアがある。
【０００５】
直接グレアの例としては、図１９（ａ）に示すように、居室内の照明等が表示装置の表示部に直接映ってしまういわゆる「映り込み」が挙げられる。照明等が画面に映り込むと、目による明るさの調整機能やピント合わせ機能に負担をかけ、目の疲れの原因となる。他に、画面の文字を明るくし過ぎる等も直接グレアの原因となる。
【０００６】
間接グレアの例としては、図１９（ｂ）に示すように、表示画面を直視しているときに視界に入る表示装置近辺の極端に明るい光が挙げられる。この場合も、表示画面近辺の極端に明るい光によって表示画面を直視する妨げとなり、目への負担となる。
【０００７】
一方、暗い場所で表示画面を見ることは、画面の明滅が大きい場合において目への刺激が強くなってしまい、目の疲労度が増してしまうという事実も存在する。
【０００８】
よって、表示装置を使用する際には、（１）居室内の照明をなるべく暗くしてグレアをなくし、（２）表示画面の周囲を目への刺激とならない間接照明で照射して画面の明滅による負担を軽減するのが好ましいといえる。
【０００９】
上記（１）に関して、例えば特許文献１のように、画面に映り込む外光の眩しさが気にならない条件となるように、表示装置の光源の光色と画面輝度を自動的に調整するようにしているものがある。
【００１０】
また、特許文献２及び３では、人間の目の特性の変化を考慮した視認性を確保すべく、表示装置の使用者にとって見やすい文字等を表示するように表示画面近傍の明るさを検出し、それに応じた画面表示をしようとしている。
【００１１】
なお、上記課題と直接関係はないが、特許文献４等のように、表示装置に表示する映像に応じて、表示装置の設置場所の周囲の照明を調整するものも多く存在する。
【００１２】
さらに上記（２）にも関して、特許文献５では、周囲が暗い状態でテレビをみると、テレビ画面のコントラストの大きな光の点滅等が、目に対して大きな刺激を与えるばかりでなく、光過敏症の人には、脳波に異常を引き起こす可能性もあるとして、テレビ受像機の周囲の明るさを検出し、テレビ動作中に明るさが一定値以下になると、テレビ受像機の周囲を点灯駆動するようにしている。
【００１３】
特許文献５に記載のテレビ照明装置を図２０に示す。当該テレビ照明装置は、照度センサ２０１、テレビ動作センサ２０２を備え、照度センサ２０１は、フォトトランジスタ等の検出素子によりテレビ受像機の周囲（またはテレビ受像機が置かれている部屋）の照度を検出する。
【００１４】
そして、検出した照度が調整抵抗の可変設定値で設定された照度以下であるときに、出力をＨレベルとし、設定された照度以上であるときは出力をＬレベルとする。一方、テレビ動作センサは、テレビが動作状態にあるかどうかを検出しており、テレビがオンして動作状態にあるときは出力がＨレベルになり、オフしているときはＬレベルになる。
【００１５】
上記照度センサ２０１とテレビ動作センサ２０２の出力は、ＮＡＮＤゲート２０３の入力に接続されており、両センサからの入力が“Ｈ”であるときにだけＮＡＮＤゲート２０３の出力が“Ｌ”となり、このときに、テレビ受像機の周囲に設置した照明等の負荷２０４が点灯するようになっている。
【００１６】
また、間接照明を利用する表示装置を提供するものとして、非特許文献２がある。ここに記載のフラットテレビ２１１を図２１に示す。このフラットテレビ２１１は、テレビの背面の両脇にＲＧＢ３色の細長い照明２１２が仕込まれている。これによって、フラットテレビ２１１を壁掛けで設置したときに背面に仕込まれた照明２１２からの光が壁に反射して、間接照明の役割を果たす。上記非特許文献２においてこの技術は「Ａｍｂｉｌｉｇｈｔ」と称されており、テレビ画面が現在表示している色のトーンをリアルタイムに解析して、そのトーンに近いカラーを自動的に照射するようになっている。図２１における（ｂ）は、照明２１２の消灯時、（ｃ）は照明２１２が点灯して間接照明を利用している時のイメージ図である。
【００１７】
ところで、表示装置が液晶表示装置である場合、液晶表示装置の構成は、光源を有して光源からの光を液晶パネルに照射して映像を表示するというものであるから、この光源からの光を液晶パネルに照射する以外にも有効に利用できるのであれば、最大限有効に利用することが好ましい。
【００１８】
この観点で、特許文献６では、液晶表示装置のバックライトから漏洩した光を、キーボード等の照射に利用することにより、新たな要素を加えることなく、また消費電力を増大することなく、飛行機等の暗闇でも周囲の人に迷惑をかけることなくキーボード等の入力手段を効果的に照射することができるようにしている。
【００１９】
特許文献６に記載の液晶表示装置を図２２に示す。表示装置２２１のフレームの裏面には窓２２２が形成されている。そして、この窓２２２から、表示装置のバックライト・ユニットからの光が漏洩し、表示装置を支持するスタンドに取り付けられた反射鏡２２３に前記漏洩した光が反射して表示装置の表示面側に配置されたキーボード（図示せず）を照射する光となる。
【特許文献１】特開平６−１４９２０３号公報
【特許文献２】特開平６−２１４５０８号公報
【特許文献３】特開平６−３０８８９１号公報
【特許文献４】特開平２−２５３５０３号公報
【特許文献５】特開平１１−２２４５２９号公報
【特許文献６】特開２００２−１３２３７８号公報
【非特許文献１】「ＶＤＴ作業における労働衛生管理のためのガイドライン」（厚生労働省）
【非特許文献２】“Learn About Picture and Sound”、[online]、PHILIPS、[平成17年5月16日検索]、インターネット<ＵＲＬ：http://www.flattv.philips.com/index.cfm?event=main&cat_id=1&subcat_id=2&page=pg3##>
【発明の開示】
【発明が解決しようとする課題】
【００２０】
上記のように、人的影響、特に目への刺激という影響を考慮すると、表示装置を使用する際には、居室をなるべく暗くし、表示画面の周囲を間接照明で照射することが好ましい。
【００２１】
よって、暗い部屋で非特許文献２のような間接照明を利用することが効果的である。そして、暗い部屋において表示装置を利用しているときに、非特許文献２のような間接照明を利用するようにするには、特許文献５に記載されているように、照度検出手段とテレビ動作検出手段を利用することが考えられる。
【００２２】
しかしながら、暗い部屋で表示装置を利用した場合に、常に間接照明がＯＮになるのは煩わしく感じられる場合がある。例えば、表示装置を表示させたまま夕食の準備をするなど他の作業に集中力を奪われがちなときに、夕日が沈んで薄暗くなって自動的に表示装置の周囲の間接照明が点灯されると、煩わしく感じられる。
【００２３】
特に人間の生活リズムを考慮すると、就寝時など特定のシーンにおいてのみ、間接照明が点灯するようになっていれば、非常に便利であるし、ユーザにとって煩わしさがない。
【００２４】
また、上記間接照明をより有効に利用するためには、それぞれのシーンに応じて、その照明範囲を適切な範囲とすることが好ましい。そして、適切な範囲の間接光とすることで、より目への影響を和らげることができる。
【００２５】
さらに、表示装置の種類によっては、特殊な間接照明の利用形態が考えられ、例えば液晶表示装置では、バックライトの光を、映像表示のみに用いるのではなく、間接照明としても用いることも考えられる。
【００２６】
本発明は、以上の観点によりなされたものであり、目への刺激を考慮した表示装置を適切な形態で提供するものである。
【課題を解決するための手段】
【００２７】
上記の課題を解決するため、本発明では、映像を表示する表示部と、当該表示部の映像表示面とは相対する側に配置される被照射体を照射する光源とを備える表示装置であって、前記表示部周辺の照度を検出する照度検出手段と、現在の時間を検出する時刻検出手段とを有し、前記照度検出手段及び時刻検出手段の検出に基づいて、前記光源の点消灯を制御するようにしている。
【００２８】
例えば、前記照度検出手段の検出結果及び前記時刻検出手段の検出結果が、共に点灯可能な状態である場合に、前記光源を点灯するように制御すればよい。
【００２９】
また、前記時間に関して、予め設定された範囲の設定時間を持ち、前記時刻検出手段により検出された現在の時間が、前記設定時間の範囲内にあるときに、前記光源を点灯可能な状態としたり、前記照度に関して、予め設定された設定値を持ち、前記照度検出手段により検出された照度が前記所定値以下である場合に、前記光源を点灯可能な状態とするようにすればよい。
【００３０】
また、映像を表示する表示部と、当該表示部の映像表示面とは相対する側に配置される被照射体を照射する光源とを備える表示装置であって、前記表示部周辺の照度を複数段階の照度レベルで検出する照度検出手段を有し、前記照度検出手段により検出された照度が、前記複数段階のうちどの照度レベルにあるかに応じて前記光源の点灯強度を制御するようにすれば、より目への刺激を考慮した表示装置とすることができる。
【００３１】
さらに、現在の時間を検出する時刻検出手段を有するようにし、前記照度検出手段の検出結果及び前記時刻検出手段の検出結果に基づいて、前記光源の点灯強度を制御するようにしてもよい。
【００３２】
また、映像を表示する表示部と、当該表示部の映像表示面とは相対する側に配置される被照射体を照射する光源とを備える表示装置であって、現在の時間を検出する時刻検出手段を有し、前記時刻検出手段により検出された現在時刻に応じて前記光源の点灯強度を制御するようにしてもよい。
【００３３】
前記光源の点消灯は、前記照度検出手段及び時刻検出手段の検出結果による制御に関わらず、ユーザの指示により強制的に制御可能なようにすれば、ユーザビリティが向上する。
【００３４】
また、映像を表示する表示部と、当該表示部の映像表示面とは相対する側に配置される被照射体を照射する光源とを備える表示装置であって、前記表示部周辺の照度を検出する照度検出手段及び／又は現在の時間を検出する時刻検出手段の検出結果に基づいて、前記光源の点灯範囲を制御する構成も、目への刺激を考慮して適切な表示装置の利用を可能とする。
【００３５】
前記照度に関して、複数段階の照度レベルを持ち、前記照度検出手段により検出された照度が、前記複数段階の照度レベルのうちどのレベルにあるかに応じて前記光源の点灯範囲を制御するようにすれば、より細かな制御が可能である。
【００３６】
さらに具体的には、前記照度検出手段により検出された照度が低いほど、前記点灯範囲が広くなるように制御すればよい。
【００３７】
又は、前記時刻検出手段により検出された現在の時間が予め定められた時刻に近いほど前記点灯範囲が広くなるように制御するように制御すればよい。
【００３８】
また、前記時刻検出手段により検出された現在の時間が、ユーザにより設定されたに近いほど前記点灯範囲が広くなるように制御すれば、ユーザビリティが向上する。
【００３９】
前記光源の点灯範囲は、前記照度検出手段及び時刻検出手段の検出結果による制御に関わらず、ユーザの指示により強制的に制御可能なようにすれば、よりユーザビリティが向上する。
【００４０】
また本発明に係る表示装置が、液晶パネルと、光源を有し、当該光源からの光を前記液晶パネルに照射するバックライト装置とを有する液晶表示装置であれば、前記バックライト装置は開閉手段を備え、前記開閉手段を開成制御することで、前記光源の光を、前記バックライト装置の背面側に配置される被照射体にも照射するようにすれば、新たな光源を付加することなく、上記と同様の効果が得られる。
【００４１】
具体的に、前記バックライト装置は、その一部が、光透過材で形成され、前記被照射体に照射する光は、前記光透過材を透過して前記被照射体を照射するようにし、さらには、前記光透過材は、乳白色のアクリル材で形成されていれば、本発明の効果がより良く得ることができる。
【発明の効果】
【００４２】
本発明によれば、目への刺激が少ない状態で表示装置を利用でき、その使用に際してユーザーを煩わせることがない。
【００４３】
また、利用シーンに応じ、目への刺激を考慮した、より適切な状態での表示装置の利用が可能となる。
【００４４】
また、表示装置の種類によっては、消費電力を余分に生じさせることがなく、上記メリットを得ることができる。
【発明を実施するための最良の形態】
【００４５】
本発明に係る表示装置について、図１及び図２を利用して説明する。
【００４６】
図１は、表示装置のブロック図であり、図２は、表示装置の外観図である。当該表示装置は、映像や画像を表示する表示部１１と、図２（ｂ）のように、表示部１１の背面側に取り付けられる照明１２を備える。照明１２は、表示装置を所定の設置状態において、表示装置の背面に配置される壁面等の被照射体を照射する。
【００４７】
そして、当該表示装置は、照度検出部１４及び時刻検出部１５を備えており、照度検出部１４は、図２（ａ）のように、表示部１１の所定の位置に設けられ、表示部１１付近の明るさを検出するようになっている。時刻検出部１５は、表示装置が内蔵する時刻出力部１６の時刻を検出し、現在の時刻を検出する。そして、制御部１７は、照度検出部１４及び時刻検出部１５からの検出結果をに基づいて、照明１２の点消灯を制御する。
【００４８】
図３に、照度検出部１４の構成の一例を示すブロック図を示す。
【００４９】
図３において、照度センサ等による表示部周りの明るさの検出結果であるＢＲＴ信号は、判別器３１に入力され、予め定められている閾値３２との比較が行なわれる。そして例えば、ＢＲＴ信号の値が閾値Ｘの値より大きい場合はＨｉｇｈ、小さい場合はＬｏｗとしてＬＧＴ信号が出力され、制御部１７に出力結果が送られる。この閾値Ｘはユーザ指示等によって設定できるようになっている。
【００５０】
上記のような表示装置における制御動作を図４のフローチャートを用いて説明する。まず、時刻検出部１５は現在の時刻情報を時刻出力部１６より得る（Ｓ４１）。そして、現在時刻がＴ１からＴ２までの間であるか否かを判断する（Ｓ４２）。このＴ１、Ｔ２は予め定められた時間であり、例えば、夜間である時間帯Ｔ１＝２１時、Ｔ２＝４時と定められている。ここで、現在時刻が２１時〜４時の間でなければ、表示装置の背面の照明１２は点灯しない（Ｓ４５）。
【００５１】
そしてＳ４２において、現在時刻が２１時〜４時の間である場合、照度検出部１４で検出される表示部１１周りの明るさの検出結果がＸ以下であるとき（Ｓ４４）は、照明１２を点灯するように制御部１７によって制御する（Ｓ４６）。上記閾値Ｘは、ＴＶのみをつけている場合の夜間の室内の明るさを想定した値を想定しており、例えば１０ｌｘと設定されている。なお、Ｓ４４において、照度検出部１４による検出結果が１０ｌｘ以上ある場合は、照明１２は点灯しない（Ｓ４５）。
【００５２】
すなわち、照度検出部１４でＬｏｗの信号を出力したときは、照度検出部１４として点灯可能な状態にあることを示し、時刻検出部１６によって検出した現在時刻が所定範囲の時刻にあるときは、時刻検出部１６として点灯可能な状態にあることを示し、上記照度検出部１４及び時刻検出部１６の両方が点灯可能な状態にあるときは、照明１２を点灯駆動するように制御する。
【００５３】
以上のように、上記構成にかかる表示装置は、例えば就寝時間帯であって、部屋の一般照明を消灯する等して就寝状態にあると判断した場合にのみ、表示部１１の背面の照明１２を点灯させて、表示装置の背後に位置する被照射体を照射することにより、間接照明の光を利用した表示を行う（図５）。
【００５４】
このような構成であれば、就寝時等における暗闇での表示装置による目への刺激が間接照明の光を利用して和らげられるとともに、就寝時等にだけ間接照明が点灯することにより、就寝時等にだけ間接照明が点灯するという人間に適したリズムを形成でき、暗い場合は必ず照明１２が点灯してしまうという煩わしさを回避することができる。
【００５５】
なお、上記時間帯は、ユーザ個々の事情によって変更できるようにしておくことが好ましく、夜間勤務で朝方就寝するというリズムを有するユーザにとっては、時刻検出部１５における時間Ｔ１、Ｔ２の設定を、その事情によって設定すればよい。この場合、朝方であっても就寝時であることを検出できるように照度検出部１４の閾値Ｘを高めに設定すればよい。
【表１】
2006337617.tif 000003
例えば、表示装置は、表１に示すような複数の制御パターンを記憶しておけば、ユーザが好みのパターンでの間接照明を利用することができる。上記では、パターン１の場合を例にして説明した。パターン２は、夜勤が主なユーザに適したパターンであり、パターン３は夜間であることを広い時間帯で認識させたいときに選択するパターンである。
【００５６】
なお、図１の制御部１７から表示部１１への点線で示した矢印は、照度検出部１４及び時刻検出部１５の検出結果により、夜間の時間帯で、表示部１１の周りが暗いときは、照明１２を点灯する制御と共に、画面輝度を低下させる制御を行ってもよいことを示している。この制御が加われば、表示部１１での明滅による目への影響をより緩和することができる。
【００５７】
＜第２の実施形態＞
次に第２の実施形態について図６乃至図８を参照して説明する。
【００５８】
本実施形態にかかる表示装置のブロック図は第１の実施形態で示した図１と同様であるが、照度検出部１４の構成が異なる。そして、制御部１７の制御動作も第１の実施形態と異なる。
【００５９】
本実施形態にかかる照度検出部１４のブロック図を図６に示す。当該照度検出部１４は、照度センサ等により検出されたＢＲＴ信号が、２つの比較器１（６３）及び比較器２（６５）に入力され、それぞれ予め定められた閾値ｍａ及びｍｂと比較される。
【００６０】
比較器１では、入力されたＢＲＴ信号と、予め設定された閾値ｍａとを比較し、比較結果をＣＭＰ−Ａ信号として判別器６７に出力する。このＣＭＰ−Ａ信号は、例えば閾値ｍａを超えた場合はＨｉｇｈ（以下“Ｈ”と記す）、超えない場合はＬｏｗ（以下“Ｌ”と記す）の信号を出力する。
【００６１】
同様に比較器２では、入力されたＢＲＴ信号と、予め設定された閾値ｍｂとを比較し、比較結果をＣＭＰ−Ｂ信号として判別器６７に出力する。ＣＭＰ−Ｂ信号も、例えば閾値ｍｂを超えた場合は“Ｈ”、超えない場合は“Ｌ”の信号を出力する。
【００６２】
判別器６７は、ＣＭＰ−Ａ信号とＣＭＰ−Ｂ信号を入力し、両信号から３段階の照度検出結果であるＬＧＴ信号を算出して、判別結果を出力する。例えば、ＣＭＰ−Ａ信号が“Ｈ”、ＣＭＰ−Ｂ信号が“Ｈ”のときは「明るい」、ＣＭＰ−Ａ信号が“Ｌ”、ＣＭＰ−Ｂ信号が“Ｈ”のときは「薄暗い」、ＣＭＰ−Ａ信号が“Ｌ”、ＣＭＰ−Ｂ信号が“Ｌ”のときは「暗い」等と判別して、“Ｈ”“Ｍ”“Ｌ”等の複数段階のレベルを識別しうる信号（例えば２ビットの信号）でＬＧＴ信号を出力する（上記の算出方法では、ｍａ＞ｍｂを想定しており、ＣＭＰ−Ａ信号が“Ｌ”、ＣＭＰ−Ｂ信号が“Ｈ”という場合はない）。
【００６３】
以上にように、本実施形態においては、閾値の異なる２系統の照度検出を行なっており、照度のレベルを３段階で検出している。照度センサ等の照度の検出結果から、ＬＧＴ信号は「明るい」「薄暗い」「暗い」等の３段階の値をとる。照度検出部１４は、このＢＲＴ信号を制御部１７に出力する。
【００６４】
例えば、ｍａ＝１０、ｍｂ＝３（ｌｘ）と仮定した場合に、４０（ｌｘ）のＢＲＴ信号が入力されると、ＣＭＰ−Ａ信号が“Ｈ”、ＣＭＰ−Ｂ信号が“Ｈ”として出力されるので、「明るい」と判断して“Ｈ”のＬＧＴ信号を出力する。
【００６５】
また、例えば、５（ｌｘ）のＢＲＴ信号が入力されると、ＣＭＰ−Ａ信号が“Ｌ”、ＣＭＰ−Ｂ信号が“Ｈ”として出力されるので、「薄暗い」と判断して“Ｍ”のＬＧＴ信号を出力する。
【００６６】
以上のような照度検出部１４を有する本実施形態にかかる表示装置において、制御部１７は図７のフローチャートに示すように、時刻検出結果及び照度検出結果に基づいて照明１２の点灯制御を行う。
【００６７】
まず、時刻検出部１５は、現在の時刻情報を時刻出力部１６より得る（Ｓ７１）。そして、現在時刻がＴ１からＴ２までの間であるか否かを判断する（Ｓ７２）。例えば、Ｔ１＝２１時、Ｔ２＝４時と定められていると仮定すると、現在時刻が２１時〜４時の間になければ、表示装置の背面の照明１２は点灯しない（Ｓ７８）。
【００６８】
そしてＳ７２において、現在時刻が２１時〜４時の間にある場合、照度検出部１４で検出される表示部１１周りの明るさの検出結果（ＬＧＴ信号）が、“Ｌ”である場合（照度検出部１４にて「暗い」と判断した場合）は、照明１２を強く点灯させ（Ｓ７４→Ｓ７５→Ｓ７６）、“Ｍ”である場合（照度検出部１４にて「薄暗い」と判断した場合）は、照明１２を弱く点灯させる（Ｓ７４→Ｓ７５→Ｓ７７）。一方、ＬＧＴ信号が、“Ｈ”である場合（照度検出部１４にて「明るい」と判断した場合）は、照明１２を点灯させない（Ｓ７４→Ｓ７８）。
【００６９】
なお、上記では、ＬＧＴ信号は「明るい」「薄暗い」「暗い」等の３段階で出力する例を示したが、閾値をさらに増やして、４以上の段階でＬＧＴ信号を出力するようにしてもよい。そのようにすれば、より細かな制御が可能となり、照明１２の照射レベルの微調整を行うことができる。
【００７０】
また、照明１２を点灯させるべき時間は、第１の実施形態で説明したように、予め定めた複数の設定パターンより、ユーザの指示に応じて選択するような構成にしてもよい。
【００７１】
以上のような構成によれば、第１の実施形態において得られる効果に加えて、表示装置周りの照度が暗いほど間接照明の光を強めるので、画面の明滅による目への刺激を、より適切に防止し、目の疲労を軽減することができる。
【００７２】
また、上記構成では、照度検出部１４の検出結果を複数段階で出力することにより、照明１２の照度を複数段階で制御するようにしたが、時刻検出部１５の検出結果に応じて、照明１２の照度を複数段階で制御するようにしてもよい。
【００７３】
例えば、ユーザが通常２３頃寝所に入り、ＴＶ（表示装置）を視聴しながら寝入るというリズムを持っているとすれば、２３時頃に部屋の表示装置以外の照明を全て消灯していることが考えられるから、２３時前後（例えば２２時〜２４時）に表示装置背面の照明１２を強く点灯させて、間接的な光を強くし、暗闇での表示装置の利用が目への強い刺激とならないように設定しておけばよい。そして、２３時前後の時間帯（２２時〜２４時）を外れた時間帯で、夜間であると判断される時間帯（例えば、２０時〜２２時、２４時〜４時）は、２３時前後の時間帯における照明１２の光の強度よりも弱い強度で点灯するように設定しておくとよい。
【００７４】
これを、図８のフローチャートを用いて説明する。まず、照度検出部１４にて、表示部１１周りの照度を検出する。そして、検出した照度がＸ（例えば１０ｌｘ）以上であれば、照明１２は点灯せず（Ｓ８６）、Ｘ以下であれば続けて時刻検出部１５の時刻検出結果を参照する（Ｓ８３）。そして、参照した時刻が、Ｔ１〜Ｔ２（上記の例では、２０時〜４時）の間にあると判断すれば（Ｓ８４の“Ｙ”）、さらにＴ３〜Ｔ４（上記の例では、２２時〜２４時）の間にあるかを判断する（Ｓ８５）。そして、現在時刻がＴ３〜Ｔ４の間にあると判断したとき（Ｓ８５の“Ｙ”）は、照明１２を強く点灯するように制御し（Ｓ８８）、Ｔ３〜Ｔ４の間にあると判断したとき（Ｓ８５の“Ｎ”）は、照明を弱く点灯するように制御する（Ｓ８７）。一方、Ｓ８４において、現在時刻がＴ１〜Ｔ２の間にないと判断したときは、照明１２は点灯しない（Ｓ８６）。
【００７５】
以上のような制御であれば、表示装置を長時間利用しているときでも、ユーザの就寝時刻に応じて、目への負担を増加させない適切な照明１２による間接光の利用が可能となる。
【００７６】
なお、上記Ｔ１〜Ｔ４の設定はユーザの生活リズムによって変わるものであり、例えば表２に掲げるように予め複数のパターンを用意しておいて、ユーザが選択できるようにしておけばよい。
【００７７】
また、パターン３で例示するように、光の強度の段階は「強く点灯」「弱く点灯」の２段階である場合に限らず、３段階以上の点灯強度で照明１２の発光が制御されるようにしてもよい。
【表２】
2006337617.tif 000004
さらに、照度検出部１４の検出結果に応じて照明１２の発光強度を段階的に変化させる制御と、時刻検出部１５の検出結果に応じて照明１２の発光強度を段階的に変化させる制御とを組み合わせてより細かな発光強度の制御を可能とすると、より適切な照明１２の微調整によって、ユーザの目への疲労を軽減することができる。
【００７８】
＜第３の実施形態＞
続いて、本発明の第３の実施形態に係る表示装置を、図９乃至図１３を参照して説明する。図９は、本実施形態に係る表示装置を示すブロック図であり、図１０は、表示装置の外観図である。当該表示装置は、第１の実施形態と同様に、映像や画像を表示する表示部１１と、表示部１１の背面側に取り付けられる照明１２（図１０（ｂ））を備える。照明１２は、表示装置を所定の設置状態において、表示装置の背面に配置される壁面等の被照射体を照射して、表示部１１の視聴時に間接照明を生成する役割を果たす。
【００７９】
また、当該表示装置は、照度検出部１４を備えており、当該照度検出部１４は、図１０（ａ）の如く、表示部１１の所定の位置に設けられ、表示部１１付近の明るさを検出する。
【００８０】
そして、本実施形態に係る表示装置は、遮光部９０を備えている。当該遮光部９０は、図１０（ｂ）の表示装置の背面図に示すように、照明１２による上側方向及び下側方向への照射を規制する上遮光片１０１及び下遮光片１０２と、背面より見て左側方向及び右側方向への照明１２による照射を規制する左遮光片１０３及び右遮光片１０４より構成される。なお、２つの照明１２それぞれに設けられている上遮光片１０１及び下遮光片１０２を、図１１に示すように共通にして、１つの上遮光片１１１及び下遮光片１１２としてもよい。
【００８１】
これらの各遮光片が、表示部１１の背面のキャビネットに立設するように設けられており、この遮光片の立ち上がり状態から、照明１２側とは逆の方向（外方）へ傾動することにより、遮光片による照明１２の照射規制がなくなり、照明１２の照射範囲が広くなる。
【００８２】
制御部１７は、照度検出部１４の検出結果に基づいて、遮光部９０を制御することにより、照明１２による光の照射範囲を制御する。
【００８３】
図１２は、照明１２の光の照射を規制する遮光部９０の他の構成例であり、表示部１１の背面のキャビネットに、上下左右に４つの上長片１２１、下長片１２２、左長片１２３、右長片１２４が立設するように設けられて、照明１２を取り囲んでいる。
【００８４】
そして、それぞれの長片には、所定個数の光透過孔１２５が設けられており、それぞれの光透過孔１２５において、当該光透過孔１２５を開塞するシャッター１２６が設けられている。図１２においては、上長片１２１を外方に傾倒させたときのイメージを模式的に示しており、それぞれのシャッター１２６が独立に制御可能なようにして、細かな光照射範囲及び照射量を制御できるようになっている。
【００８５】
これらの各シャッターの開閉により、光照射範囲及び光照射量を調節することができることとなるので、表示装置を適切な間接照明により利用することができる。なお、シャッター１２６の制御は、各長片単位で行ってもよく、その場合は、制御が容易なものとなる。
【００８６】
図１３は、本実施形態に係る表示装置の動作を示すフローチャートである。
【００８７】
まず、照度検出部１４により、表示部１１まわりの照度を検出し（Ｓ１３１）、照度がＸ以下であるか否かを判断する（Ｓ１３２）。照度がＸより大きい場合は、照明１２を点灯しない（Ｓ１３４）。照度がＸ以下である場合は、さらに照度がＹ以下であるか否かを判断し、Ｙ以下である場合は、遮光部９０を制御して、照明１２の照射を遮光する範囲を小さくし、光の照射範囲を大きくする。一方、Ｓ１３３において照度がＹより大きい場合は、遮光部９０を制御して、照明１２の照射を遮光する範囲を大きくし、光の遮光範囲を小さくする。
【００８８】
上記のような動作であれば、表示部まわりの明るさが暗いほど、照明１２による被照射体への光の照射範囲が大きくなり、適切な間接照明の照射による表示装置の利用が可能となる。
【００８９】
続いて、本実施形態の変形例について、図１４及び１５を用いて説明する。本変形例は、第１及び第２の実施形態と同様に、時刻出力部１６及び時刻検出部１５を備える。そして、制御部１７は、照度検出部１４の検出結果のみならず、時刻検出部１５の検出結果によっても遮光部９０を制御する。
【００９０】
このような構成の表示装置の動作を、図１５のフローチャートを用いて説明する。
【００９１】
まず、時刻出力部１６により出力された時刻情報を時刻検出部１５にて検出し（Ｓ１５１）、検出した現在時刻がＴ１〜Ｔ２の間にあるか否かを判別する（Ｓ１５２）。このとき、
検出した現在時刻がＴ１〜Ｔ２の間にない場合は、照明１２は点灯せず（Ｓ１５６）、検出した現在時刻がＴ１〜Ｔ２の間にある場合は、続けて照度検出部１４により、表示部１１まわりの照度を検出する（Ｓ１５３）。検出した照度がＸ以下の場合（Ｓ１５４）は、続けて照度がＹ以下であるかどうかを判別し（Ｓ１５５）、照度がＹ以下である場合は、遮光部９０を制御して遮光範囲を小さくすることにより、照明１２の照射範囲を大きくする。一方、Ｓ１５５において照度がＹより大きいと判断した場合は、遮光範囲を大きくすることにより、照明１２の照射範囲を小さくする。そして、Ｓ１５４で照度検出部１４によって検出した照度がＸより大きい場合は、照明１２は点灯しない。
【００９２】
以上によれば、表示部まわりの明るさが暗いほど、照明１２による被照射体への光の照射範囲が大きくなり、適切な間接照明の照射による表示装置の利用が可能となるとともに、例えば就寝時にだけ間接照明が点灯するように設定しておくことにより、就寝時等にだけ間接照明が点灯するという人間に適したリズムを形成でき、暗い場合は必ず照明１２が点灯してしまうという煩わしさを回避することができる。
【００９３】
なお、上記例では遮光範囲の切り替えを２段階で行う例を示したが、照度の閾値を３つ以上持たせて、３段階以上で遮光範囲を切り替えるようにしてもよい。
【００９４】
また、上記例では遮光範囲の切り替えを照度の検出結果により行う例を示したが、第２の実施形態で示したように、時刻検出部１５の検出結果によって段階的にしてもよい（図８参照）。このようにすれば、就寝時間帯に照明の照射範囲が最も大きくなるようにし、その前後の時間帯において、就寝時間帯に近いほど、照射範囲が大きくなるようにできる。また、これらの組合せて細かく制御するようにしてもよい。
【００９５】
＜第４の実施形態＞
次に、表示装置として液晶表示装置を用いた場合を説明する。本実施形態に係る表示装置の外観図を図１６及び１７に示す。
【００９６】
図１６（ａ）は、表示装置の側断面図である。光源としての複数の蛍光管１６２を複数本有し、筐体１６０内に収納され、筐体１６０の前面には各種の光学部材１６３が重ねて装備されており、さらにその前面に映像や画像を表示する液晶パネル１６１を備える。図１６（ｂ）は、当該表示装置において、液晶パネル１６１及び光学部材１６３を取り払って正面から見た場合の図であり、複数の蛍光管１６２が水平方向と略並行に等間隔に並んでいる（このように蛍光管１６２が等間隔に敷き詰められて、前面の液晶パネル１６１を照射して映像を表示するように用いるバックライト装置を直下式バックライト装置という）。
【００９７】
そして、本実施形態に係る表示装置は、筐体１６０の上側面及び下側面を形成する材料の一部が蛍光管１６２から発せられる光を透過させる光透過材で形成されている（光透過部１６４）。そして筐体の上側及び下側面は、表示装置の背面側に配置される被照射体を適切に照射するように、筐体の上側面及び下側面が、背面側にかけて、筐体の上側面及び下側面との垂直に等分線（図１６（ａ）の線Ａ）側方向に傾斜を有する。すなわち、筐体の上側面は装置の背面側に、水平方向と俯角を有するように傾斜し、下側面は装置の背面側に、水平方向と仰角を有するように傾斜している（なお、傾斜を有しない場合であっても、光の拡散作用により、表示装置に配置される被照射体を照射することは可能であり、一応の間接照明としての効果を有する）。
【００９８】
上記光透過部１６４は、乳白色アクリル等の樹脂で形成されている。光透過部１６４が、このような色であれば、光源からの光をやさしいソフトな明かりに変換でき、間接光として適切なものとすることができる。また、光透過部１６４は、オフホワイト色などであってもよく、材質はガラス等であってもよい。要するに、目への刺激を和らげるという観点から、眩しすぎる光でなく、間接照明として適切であることが重要である。
【００９９】
そして、本実施形態に係る表示装置は、第１乃至第３の実施形態で示したように、表示装置周りの照度、現在時刻を用いて間接照明の点消灯、点灯強度、点灯範囲の制御を行うために、蛍光管１６２から発せられた光による光透過部１６４の透過制御を行うことができるよう、光透過制御部としてのシャッター１６５を備えている。
【０１００】
具体的には、筐体１６０に設けられた光透過部１６４と対向する筐体内部に設けられた反射板１６８上の位置には、光透過孔１６６が設けられており、光源１６２から発せられた光が、光透過孔１６６、光透過部１６４を通り抜けて筐体１６０の外部へと漏洩する。そして、上記シャッター１６５は、当該反射板に設けられた光透過孔１６６を開塞するように設けられている（図１６（ｃ）。図１６（ａ）及び（ｂ）においては、説明便宜のため反射板を図示していない）。シャッター１６５は、光透過孔１６６を塞ぐように反射板１６７の上側面に沿ってスライドすることで、蛍光管１６２からの光が、筐体１６０外へ透過しないように制御できる。
【０１０１】
反射板１６７は、蛍光管１６２からの光を反射させて、無駄なく液晶パネル１６１へと光を導くことができるように用いられるものであるため、反射板１６７に孔を穿つことは、本来の目的から言えば好ましくない。従って、シャッター１６５は、反射板１６７の光透過孔１６６を塞いでいる状態において、光源からの光を反射させて無駄なく液晶パネル１６１へと導くことができるよう、反射板１６７と同じ材料で形成しておくことが望ましい（図１６（ｃ）において、シャッター１６６を黒色で示し、反射板１６７を白色で示しているが、これは説明便宜のためであり、両者とも白色等光を反射させやすいものが好ましい）。
【０１０２】
上記のような構成であれば、光源からの光を筐体１６０の外部へと漏洩させることができ、その結果、筐体１６０外部の被照射体に光を照射するか否か、どの程度の強さ、範囲で照射するか、を制御できることとなる。
【０１０３】
以上のように、第１乃至第３の実施形態を実施する表示装置が、液晶表示装置であれば、液晶表示装置が内部に備えている光源の光を、間接照明の光としても利用することにより、第１乃至第３の実施形態で示した照明１２のように、外部に新たな光源を備えることなく第１乃至第３の実施形態の発明を実現することができる。
【０１０４】
なお、バックライト装置内の光源の一部が、外部へも漏洩することにより、液晶パネル１６１で映像を表示するために用いる光量が減って、表示映像がやや暗くなってしまうが、第１乃至第３の実施形態において示したように、間接照明を利用するのは、主に暗い部屋においてである。暗い部屋においては、映像表示のメリハリという点でも、人への目の刺激という点でも、画面輝度を落とすことが望ましいから、バックライト光を漏洩させて光の利用効率をやや低下させても特段の問題は生じない。そして、第１乃至第３の実施形態で示した照明１２のように、外部に新たな光源を別途設けることを考えると消費電力及び製造コストを低減することができる。
【０１０５】
図１７は、本実施形態に係る表示装置を用いて間接照明を利用する時のイメージ図である。ここでは、筐体１６０の上側面及び下側面のみならず、両側面にも光透過部１６４を形成している。
【０１０６】
なお、光透過部１６４及び光透過孔１６６の構成は図１６（ｃ）に示した孔状のものに限られるものではなく、図１８（ａ）に示すように、光透過部１６４が、筐体１６０の上側面にライン状に設けられ、それと対向する反射板１６８の位置に光透過溝１８６を設け、当該溝をシャッターにより制御するものであってもよい。
【０１０７】
このような構成であっても、図１８（ｂ）で示すようなイメージで、間接光が利用できることとなる。
【０１０８】
また、本実施形態において、バックライト装置が直下式バックライト装置である場合を説明したが、サイドエッジ式バックライト装置であっても本発明の目的とする効果が得られる。
【０１０９】
以上、本発明を、複数の実施形態によって説明したが、本発明の趣旨を逸脱しない範囲での変形が可能である。
【０１１０】
例えば、時刻出力部１６は、表示装置に内蔵されているものでなくてもよく、外付けの時刻出力部であってもよい。さらには、時刻出力部１６を廃止して、テレビジョン信号と同時に送信されてきた時刻情報を時刻検出部１５でダイレクトに受信するようにして、時刻情報を得る構成であってもよい。
【０１１１】
また、照明１２は、複数色を発行可能なものであれば、ユーザの設定などによって、間接光の色を選択できるようにしておけば、インテリアとして良好である。また、照明１２は、蛍光管である必要はなく、ＬＥＤ等の発光体であってもよい。
【０１１２】
なお、ユーザビリティ向上のため、全ての実施形態において、照明１２の点消灯、点灯強度、点灯範囲をユーザの指示に応じて強制的に設定できるようにしておけばよい。
【産業上の利用可能性】
【０１１３】
本発明は、テレビジョン受像機等の表示装置に利用可能である。
【図面の簡単な説明】
【０１１４】
【図１】は、本発明の第１の実施形態に係る表示装置のブロック図である。
【図２】は、本発明の第１の実施形態に係る表示装置の外観図である。
【図３】は、本発明の第１の実施形態に係る表示装置の照度検出部のブロック図である。
【図４】は、本発明の第１の実施形態に係る表示装置の動作を示すフローチャートである。
【図５】は、本発明の第１の実施形態に係る表示装置を使用したときのイメージ図である。
【図６】は、本発明の第２の実施形態に係る表示装置の照度検出部のブロック図である。
【図７】は、本発明の第２の実施形態に係る表示装置の動作をしめすフローチャートである。
【図８】は、本発明の第２の実施形態の他の例に係る表示装置の照度検出部のブロック図である。
【図９】は、本発明の第３の実施形態に係る表示装置のブロック図である。
【図１０】は、本発明の第３の実施形態に係る表示装置の外観図である。
【図１１】は、本発明の第３の実施形態の他の例に係る表示装置の外観図である。
【図１２】は、本発明の第３の実施形態の他の例に係る表示装置の外観図である。
【図１３】は、本発明の第３の実施形態に係る表示装置の動作を示すフローチャートである。
【図１４】は、本発明の第３の実施形態の変形例に係る表示装置のブロック図である。
【図１５】は、本発明の第３の実施形態の変形例に係る表示装置の動作を示すフローチャートである。
【図１６】は、本発明の第４の実施形態に係る表示装置の外観図である。
【図１７】は、本発明の第４の実施形態に係る表示装置を使用したときのイメージ図である。
【図１８】は、本発明の第４の実施形態の他の例に係る表示装置の外観図である。
【図１９】は、グレアを説明するためのイメージ図である。
【図２０】は、特許文献５に記載の表示装置のブロック図である。
【図２１】は、非特許文献２に記載のフラットテレビの外観、イメージ図である。
【図２２】は、特許文献６に記載の表示装置の外観図である。
【符号の説明】
【０１１５】
１１    表示部
１２    照明
１４    照度検出部
１５    時刻検出部
１７    制御部
９０    遮光部
【図１】
2006337617.tif 000005
【図４】
2006337617.tif 000006
【図７】
2006337617.tif 000007
【図８】
2006337617.tif 000008
【図９】
2006337617.tif 000009
【図１３】
2006337617.tif 000010
【図１４】
2006337617.tif 000011
【図１５】
2006337617.tif 000012
【図２】
2006337617.tif 000013
【図３】
2006337617.tif 000014
【図５】
2006337617.tif 000015
【図６】
2006337617.tif 000016
【図１０】
2006337617.tif 000017
【図１１】
2006337617.tif 000018
【図１２】
2006337617.tif 000019
【図１６】
2006337617.tif 000020
【図１７】
2006337617.tif 000021
【図１８】
2006337617.tif 000022
【図１９】
2006337617.tif 000023
【図２０】
2006337617.tif 000024
【図２１】
2006337617.tif 000025
【図２２】
2006337617.tif 000026